(57)【要約】  情報記録媒体の最終化を速かにするための情報記録媒体及び記録／再生装置、記録／再生方法を提供する。本発明による情報記録媒体は、媒体の最終化のための領域にプレピットが既形成されている。本発明によれば、情報記録媒体の製造時に、このような情報記録媒体の最終化時にデータを満たさねばならない部分をプレピットとして既形成することにより、以後に情報記録媒体を使用してから、この媒体を最終化する時にかかる時間を節約して情報記録媒体の最終化を速かにしうる。
2009514134.tif 000002
【特許請求の範囲】
【請求項１】
情報記録媒体において、
ユーザデータを保存するためのユーザデータ領域と
前記媒体を最終化するために使われる既形成のプレピットを含む最終化領域と、を備えることを特徴とする情報記録媒体。
【請求項２】
前記最終化領域は、ミドル領域を備えることを特徴とする請求項１に記載の情報記録媒体。
【請求項３】
前記媒体には、グルーブがさらに形成されていることを特徴とする請求項１に記載の情報記録媒体。
【請求項４】
前記グルーブの深さと前記プレピットの深さとは、異なることを特徴とする請求項３に記載の情報記録媒体。
【請求項５】
前記グルーブの底部と前記プレピットの底部とは、同一面に存在するか、または同一でない面に存在することを特徴とする請求項４に記載の情報記録媒体。
【請求項６】
前記媒体の最終化のための領域にプレピットが既形成されているか否かを表す情報が、前記媒体の所定領域に記録されていることを特徴とする請求項１に記載の情報記録媒体。
【請求項７】
前記所定領域は、前記媒体のリードイン領域または前記リードイン領域の制御データ領域を備えることを特徴とする請求項６に記載の情報記録媒体。
【請求項８】
少なくとも一つの層を有する情報記録媒体において、
ユーザデータが記録されるデータ領域と、
前記媒体の最終化を速かにするために、プレピットが既形成されている最終化領域と、を備えることを特徴とする情報記録媒体。
【請求項９】
前記データ領域に記録されるデータ容量によって、フレキシブルに配列されるフレキシブルミドル領域をさらに備え、前記フレキシブルミドル領域には、記録マーク形態でデータが記録されることを特徴とする請求項８に記載の情報記録媒体。
【請求項１０】
前記最終化領域にプレピットが既形成されているか否かを表す情報が、前記媒体の所定領域に記録されていることを特徴とする請求項８に記載の情報記録媒体。
【請求項１１】
情報記録媒体に／からデータを記録／再生する記録／再生装置において、
前記情報記録媒体に／からデータを記録／読み取りする記録／読み取り部と、
前記媒体の所定領域から最終化領域にプレピットが形成されているか否かを表す情報を読み取るように前記記録／読み取り部を制御し、前記情報から前記情報記録媒体の最終化時に前記媒体の最終化領域にデータを記録するか否かを決定する制御部と、を備えることを特徴とする記録／再生装置。
【請求項１２】
前記制御部は、
前記媒体の制御データ領域から前記最終化領域にプレピットが形成されているか否かを表す情報を読み取るように、前記記録／読み取り部をさらに制御することを特徴とする請求項１１に記載の記録／再生装置。
【請求項１３】
前記制御部は、
前記情報が、前記最終化のための領域にプレピットが形成されていることを表す場合には、前記媒体の最終化時に前記最終化領域にデータを記録しないように記録／読み取り部を制御し、前記最終化領域にプレピットが形成されていないことを表す場合には、前記媒体の最終化時に前記最終化領域にデータを記録するように前記記録／読み取り部を制御することを特徴とする請求項１１に記載の記録／再生装置。
【請求項１４】
情報記録媒体に／からデータを記録／再生する記録／再生方法において、
前記媒体の所定領域から最終化領域にプレピットが形成されているか否かを表す情報を読み取るステップと、
前記情報から前記情報記録媒体の最終化時に前記媒体の最終化領域にデータを記録するか否かを決定するステップと、を含むことを特徴とする記録／再生方法。
【請求項１５】
前記読み取りステップは、
前記媒体の制御データ領域から前記最終化領域にプレピットが形成されているか否かを表す情報を読み取るステップを含むことを特徴とする請求項１４に記載の記録／再生方法。
【請求項１６】
前記情報が、前記最終化領域にプレピットが形成されていることを表す場合には、前記媒体の最終化時に前記最終化領域にデータを記録しないように制御し、前記最終化領域にプレピットが形成されていないことを表す場合には、前記媒体の最終化時に前記最終化領域にデータを記録するステップをさらに含むことを特徴とする請求項１４に記載の記録／再生方法。
【発明の詳細な説明】
【技術分野】
【０００１】
本発明は、情報記録媒体に係り、さらに具体的には、このような情報記録媒体の最終化を速かにしうる構造を有する情報記録媒体、記録／再生装置及び記録／再生方法に関する。
【背景技術】
【０００２】
一般的に、光情報記録媒体、例えば、光ディスクは、非接触式に情報を記録／再生する光ピックアップ装置の情報記録媒体として広く採用され、情報記録容量によってコンパクトディスク（ＣＤ：Ｃｏｍｐａｃｔ  Ｄｉｓｋ）、デジタル多機能ディスク（ＤＶＤ：Ｄｉｇｉｔａｌ  Ｖｅｒｓａｔｉｌｅ  Ｄｉｓｋ）に区分される。そして、情報の記録、消去及び再生の可能な光ディスクとして、６５０ＭＢ  ＣＤ−Ｒ、ＣＤ−ＲＷ、４.７ＧＢ  ＤＶＤ＋Ｒ／ＲＷ、ＤＶＤ−ＲＡＭ（ランダム  アクセス  メモリ）、ＤＶＤ−Ｒ／ＲＷがあり、再生専用ディスクとして６５０ＭＢ  ＣＤ、４.７ＧＢ  ＤＶＤ−ＲＯＭ（リード  オンリ  メモリ）がある。さらに、記録容量が１５ＧＢ以上であるＨＤ（Ｈｉｇｈ  Ｄｅｆｉｎｉｔｉｏｎ）ＤＶＤまたはＢＤ（Ｂｌｕｅ−ｒａｙ  Ｄｉｓｋ）もあり、それ以上となるディスク、例えば、超解像再生技術を使用するスーパーレンズディスクも開発が進行中である。
【０００３】
現在、４.７ＧＢ級の記録、消去及び再生の可能な光ディスクとして、ＤＶＤ−ＲＡＭとＤＶＤ−ＲＷとが挙げられる。特に、このような二つのディスクには、データ記録時に光ピックアップが円周方向に一定したトラックに沿うように、グルーブが作られており、このようなグルーブは、基板を製造するためのスタンパーの製造時、すなわち、マスタリング時に作られる。しかし、ＤＶＤ−ＲＡＭとＤＶＤ−ＲＷとの最も大きい差異点としては、記録領域が挙げられ、ＤＶＤ−ＲＡＭは、グルーブ領域と二つの隣接したグルーブ領域との間に位置したランド領域に何れも記録し、一定した物理的な単位でアクセスするために、各単位のアドレスが入っている物理的ＩＤ（ＩＤｅｎｔｉｆｉｅｒ）領域がピット形態で形成されている。一方、ＤＶＤ−ＲＷの場合は、グルーブ領域にのみ記録し、別途のピットが形成されておらず、その代りに、ランド領域にピット形態でブロックアドレスが入っている。また、ＤＶＤ−ＲＷのグルーブの深さは、記録、再生の特性を代表するジッタ特性で最良の特性を表す深さ及び幅を使用している。ＤＶＤ−ＲＷの概略的なグルーブの深さは、２０〜４０ｎｍであって、λ／１２以下であり、これは、ＤＶＤ−ＲＡＭで使用している深さ（λ／６）より浅い。しかし、ユーザによって変更されないピットによる信号及び情報が、ＤＶＤ−ＲＷでも必要となれば、λ／１２以下の深さにピットを作るしかない。
【０００４】
ピットの深さによる再生信号を波長６５０ｎｍ、ＮＡ  ０.６０、最小マーク長０.４２μｍで計算すれば、図１Ａないし図１Ｄに示したように現れる。図１Ａないし図１Ｄにおいて、横軸は、ｎｓを表し、縦軸は、正規化されているため、単位はない。図１Ａは、ピットの深さがλ／３である時に得られる再生信号を表し、図１Ｂは、ピットの深さがλ／４である時に得られる再生信号を表し、図１Ｃは、ピットの深さがλ／６である時に得られる再生信号を表し、図１Ｄは、ピットの深さがλ／１２である時に得られる再生信号を表す。
【０００５】
そして、これを最大値、すなわち、ＤＶＤ−ＲＡＭの深さから出る信号で正規化させれば、図２に示したような結果が出る。図２に示された結果からλ／１２（０.０８λ）以下の深さにピットを形成する場合、３Ｔまたは１４Ｔマークの再生信号がλ／４（０.２５λ）の深さにおける結果に比べて、約３０％以下の信号レベルを表す。したがって、このような信号としては、信頼性のあるピット信号を得られず、結果的にピットの深さを調節する必要がある。
【０００６】
このため、ＤＶＤ−ＲＡＭにおいて、ピット及びグルーブの深さをλ／６ほどにするので、グルーブによるプッシュプル信号とピットからの再生信号とが容易に得られる。
【０００７】
しかし、ＤＶＤ−ＲＷのように記録されたマークの記録／再生のために、グルーブの深さが浅い場合には、グルーブの深さが勝手に調節できない。したがって、このような問題点を考慮して、米国特許５，５０１，９２６号明細書は、光ディスクで反応を起こす特殊フォトレジストを使用し、エッチング工程を使用して、深さの異なる２種類のピットまたはグルーブを製造する方案を提示している。しかし、この方法は、工程が複雑で、全体的な製造コストが高まるという短所がある。
【０００８】
また、米国特許５，５００，８５０号明細書で提示した方法の場合、製造工程は、簡単であるが、深さの異なるグルーブを作るためには、二つのレーザの経路を非常に精密に合わせねばならない必要がある。
【０００９】
また、エッチング工程を多数利用して製造する方法も提示された。すなわち、エッチングを利用して、二重深さのディスクを製造しうるが、工程が非常に複雑であり、収率が良くないので、結果的なディスクのコスト側面で非常に不利である。
【００１０】
これを克服するために、本出願の発明者は、特許出願番号２０００−００３００３４（米国特許６，９０６，９９４号明細書）で記録パワーを調節して、深さの異なるグルーブ及びピットを構成する方法を提示した。
【００１１】
このように、深さの異なるグルーブ及びピットの形成が可能になるにつれて、これを利用して光ディスクの最終化を速かにしうる方法が要求される。
【発明の開示】
【発明が解決しようとする課題】
【００１２】
本発明は、前記のような要求によって光ディスクの最終化を速かにしうる情報記録媒体、記録／再生装置及び記録／再生方法を提供することを目的とする。
【課題を解決するための手段】
【００１３】
前記目的を達成するための本発明の一つの特徴は、情報記録媒体において、前記媒体の最終化のための領域にプレピットが既形成されていることである。前記最終化のための領域は、ミドル領域を備えることが望ましい。
【００１４】
前記媒体には、グルーブがさらに形成されている。前記グルーブの深さと前記プレピットの深さとは、異なることが望ましい。前記グルーブの底部と前記プレピットの底部とは、同じ面に存在するか、または同一でない面に存在することが望ましい。前記媒体の最終化のための領域にプレピットが既形成されているか否かを表す情報が、前記媒体の所定領域に記録されていることが望ましい。前記所定領域は、前記媒体のリードイン領域または前記リードイン領域の制御データ領域を備えうる。
【００１５】
本発明の他の特徴は、少なくとも一つの層を有する情報記録媒体において、ユーザデータが記録されるデータ領域と、前記媒体の最終化を速かにするためにプレピットが既形成されているミドル領域とを備える、前記媒体の最終化のための領域を備えることである。
【００１６】
前記データ領域に記録されるデータ容量によってフレキシブルに配列されるフレキシブルミドル領域をさらに備え、前記フレキシブルミドル領域には、記録マーク形態でデータが記録されることが望ましい。
【００１７】
本発明のさらに他の特徴は、情報記録媒体に／からデータを記録／再生する記録／再生装置において、前記情報記録媒体に／からデータを記録／読み取りする記録／読み取り部と、前記媒体の所定領域から最終化のための領域にプレピットが形成されているか否かを表す情報を読み取るように前記記録／読み取り部を制御し、前記情報から前記情報記録媒体の最終化時に前記媒体の最終化のための領域にデータを記録するか否かを決定する制御部と、を備えることである。
【００１８】
前記制御部は、前記媒体の制御データ領域から前記最終化のための領域にプレピットが形成されているか否かを表す情報を読み取るように、前記記録／読み取り部をさらに制御することが望ましい。
【００１９】
前記制御部は、前記情報が、前記最終化のための領域にプレピットが形成されていることを表す場合には、前記媒体の最終化時に、前記最終化のための領域にデータを記録しないように記録／読み取り部を制御し、前記最終化のための領域にプレピットが形成されていないことを表す場合には、前記媒体の最終化時に、前記最終化のための領域にデータを記録するように前記記録／読み取り部を制御することが望ましい。
【００２０】
本発明のさらに他の特徴は、情報記録媒体に／からデータを記録／再生する記録／再生方法において、前記媒体の所定領域から最終化のための領域にプレピットが形成されているか否かを表す情報を読み取るステップと、前記情報から前記情報記録媒体の最終化時に前記媒体の最終化のための領域にデータを記録するか否かを決定するステップと、を含むことである。
【発明の効果】
【００２１】
本発明によって、情報記録媒体の製造時に、このような情報記録媒体の最終化時にデータを満たさねばならない部分をプレピットとして既形成すれば、以後に情報記録媒体を使用してからその媒体を最終化する時にかかる時間を節約して、情報記録媒体の最終化を速かにしうる。
【発明を実施するための最良の形態】
【００２２】
以下、添付された図面を参照して本発明を詳細に説明する。
【００２３】
図３は、本発明によって情報記録媒体の最終化のための領域がプレピット形態で形成された情報記録媒体を示す。図３を参照するに、本発明による情報記録媒体１００には、このような情報記録媒体の最終化のための領域３５がプレピットとして形成されている。
【００２４】
情報記録媒体の“最終化”とは、媒体にデータを記録して使用し、それ以上データを記録せず、再生専用で媒体を使用するためのプロセスを称す。情報記録媒体の最終化のためのプロセスでは、例えば、前記媒体が最終化されたことを表す情報を、前記媒体の所定領域に記録すること、媒体の既定の特定領域に所定のデータを記録して満たすことを含む。従来には、媒体の最終化のために、このような特定の領域に所定のデータを満たさねばならないので、媒体の最終化に長時間がかかったが、本発明では、このような媒体の最終化のための特定領域を情報記録媒体の製造時にプレピットとして既形成することによって、媒体の最終化時に、この特定領域にデータを満たすのに必要な時間を短縮させうる。したがって、本発明による情報記録媒体によって媒体の最終化時間を速かにしうる。特に、多層の情報記録媒体の場合に、このような最終化時間の節約の効果は、さらに大きい。
【００２５】
前記媒体の最終化時に、最終化のためのデータを満たさねばならない特定の領域は、情報記録媒体の規格によってその領域が変わりう。例えば、このような特定領域は、ミドル領域を備え、情報記録媒体の規格によっては、媒体のリードイン領域やリードアウト領域の一部領域となることもできる。または、それ以外の他の領域となることもできる。
【００２６】
このように、媒体の最終化のための領域にプレピットを形成するとき、媒体のデータ領域に設けられたグルーブの深さと媒体の最終化のための領域に形成されたプレピットの深さとは、異なることが望ましい。これは、前述したように、信頼性のあるプレピット信号を得るためである。
【００２７】
また、前述したように、グルーブとピットとが共に存在する情報記録媒体を製造する方法は、多様であるため、いかなる方法を使用しても関係ない。但し、最終的に製造された基板及び光情報記録媒体は、グルーブ及びピットの深さが、図４または図５に示された形態となることができる。
【００２８】
図４は、図３に示された本発明の一例として、グルーブの底面と最終化のための領域のプレピットの底面とが同じ面上に位置し、グルーブの深さとプレピットの深さとは、異なる形態の例を表す。図４を参照するに、本発明の一例による情報記録媒体１００でデータ領域またはそれ以外の領域には、グルーブ３１とランド３２とからなるトラックが形成されており、媒体の最終化のための領域３５には、プレピット３６が形成されている。グルーブ３１には、データの記録によって記録マーク３３が形成され、ランド３２には、ランドプレピット３４が形成されている。
【００２９】
図４に示された一例では、グルーブ３１の底面と媒体の最終化のための領域３５に形成されたプレピット３６の底面とは、何れもｂ１であって、底面の高さは、同一であり、グルーブ３１の深さは、ｄ１であり、媒体の最終化のための領域３５に形成されたプレピット３６の深さは、ｄ２であって、異なる。
【００３０】
図５は、図３に示された本発明の他の例として、グルーブの底面と最終化のための領域のプレピットの底面とが異なる面上に位置し、グルーブの深さとプレピットの深さとは、異なる形態の例を表す。図５を参照するに、本発明の一例による情報記録媒体１００で、データ領域またはそれ以外の領域には、グルーブ３１とランド３２とからなるトラックが形成されており、媒体の最終化のための領域３５には、プレピット３６が形成されている。グルーブ３１には、データの記録によって記録マーク３３が形成され、ランド３２には、ランドプレピット３４が形成されている。
【００３１】
図５に示された一例では、グルーブ３１の底面は、ｂ２であり、媒体の最終化のための領域３５に形成されたプレピット３６の底面は、ｂ３であって、底面の高さは、異なる。そして、グルーブ３１の深さは、ｄ１であり、媒体の最終化のための領域３５に形成されたプレピット３６の深さは、ｄ２であって、異なる。
【００３２】
図６は、本発明によって媒体の最終化のためのミドル領域にプレピットが形成された二重層情報記録媒体の構造の一例を示す。図６を参照するに、情報記録媒体２００は、レイヤ＃０（Ｌ０）とレイヤ＃１（Ｌ１）とを含む二重層構造である。レイヤ＃０は、データ領域５９、第１固定されたミドル領域５１、第１未使用領域５２、第１バッファ領域５３、第１専用領域５４を備え、レイヤ＃１は、データ領域６０、第２固定されたミドル領域５５、第２専用領域５６、第２バッファ領域５７、第２未使用領域５８を備える。
【００３３】
本発明によって第１固定されたミドル領域５１と第２固定されたミドル領域５５とには、情報記録媒体２００の製造時にプレピットが形成されている。
【００３４】
残りの領域をさらに紹介すれば、データ領域５９，６０には、データがレイヤ＃０から記録され始めてレイヤ＃１に記録される。第１専用領域５４と第２専用領域５６とは、所定の目的のために所定のデータが記録される部分であって、例えば、テスト領域または最適パワー制御領域として使われる。第１未使用領域５２と第２未使用領域５８とは、それぞれ第２専用領域５６及び第１専用領域５４の使用のために未使用として残す領域であり、第１バッファ領域５３と第２バッファ領域５７とも、第２専用領域５６及び第１専用領域５４の効果的な使用のためにバッファリングの役割を行う領域である。
【００３５】
図７は、本発明によって媒体の最終化のためのミドル領域にプレピットが形成された二重層情報記録媒体の構造の他の例を示す。図７を参照するに、情報記録媒体３００は、レイヤ＃０（Ｌ０）とレイヤ＃１（Ｌ１）とを含む二重層構造である。レイヤ＃０は、データ領域６１、第１フレキシブルミドル領域６２、未記録領域６３、第１固定されたミドル領域５１、第１未使用領域５２、第１バッファ領域５３、第１専用領域５４を備え、レイヤ＃１は、データ領域６４、第２フレキシブルミドル領域６５、未記録領域６６、第２固定されたミドル領域５５、第２専用領域５６、第２バッファ領域５７、第２未使用領域５８を備える。
【００３６】
本発明によって第１固定されたミドル領域５１と第２固定されたミドル領域５５とには、情報記録媒体２００の製造時にプレピットが形成されている。第１フレキシブルミドル領域６２と第２フレキシブルミドル領域６５とは、データ領域に記録するデータ容量によってフレキシブルにその位置が配列されるので、情報記録媒体の製造時にプレピット形態で形成されず、例えば、グルーブトラックに記録マーク形態でデータが記録される。フレキシブルミドル領域は除いても、固定されたミドル領域を、このように情報記録媒体の製造時にプレピットとして形成することによって、以後の情報記録媒体の最終化時に固定されたミドル領域にデータを満たさねばならない時間を節約することによって、結局、情報記録媒体の最終化を速かにしうる。
【００３７】
このように、フレキシブルにミドル領域が配列される構造で、ドライブシステムは、媒体に記録するデータ容量を把握してから、レイヤ＃０とレイヤ＃１とに記録される容量が類似するようにレイヤ＃０とレイヤ＃１とにデータを記録してから、データの記録が終了したことを表すために、データの記録が終了された部分以後に、図７に示したように、フレキシブルにミドル領域６２，６５を配し、残りの領域は、記録されない状態にする。このように、フレキシブルにミドル領域を配列することによって、データ領域の残りの空間を何れも満たさなくてもよいので、情報記録媒体の最終化にかかる時間を節約しうる。残りの領域５１〜５８は、図６に示された領域の説明と同じであるので、それ以上の説明は省略する。
【００３８】
以上の実施例と関連した説明では、情報記録媒体の最終化のための領域としてミドル領域のみを例として挙げたが、最終化に使われる時間を減らせる他の領域がある場合には、その領域も同一にプレピットとして形成させればよい。したがって、本発明で情報記録媒体の最終化のために製造時にプレピット形態で形成する領域は、ミドル領域に限定しないということを、当業者ならば、十分に理解できるであろう。
【００３９】
図８は、本発明によって媒体の最終化のための領域にプレピットが形成されたことを表す情報を記録するための領域の例を示す。図８を参照するに、本発明による情報記録媒体１００は、リードイン領域１０と、ユーザデータ領域２０と、媒体の最終化のための領域３５と、を備える。
【００４０】
ユーザデータ領域２０は、ユーザデータを記録するための領域であり、媒体の最終化のための領域３５は、プレピットが既形成されている。前述したように、媒体の最終化のための領域３５は、ミドル領域となりうる。
【００４１】
リードイン領域１０は、既記録領域１１と再記録可能領域１２とを備える。既記録領域１１は、制御データ領域１３を備え、制御データ領域１３には、媒体に関連した情報が既記録されている。特に、本発明によって最終化のための領域にプレピットが形成されているか否かを表す情報は、このような制御データ領域１３に記録されることが望ましい。最終化のための領域にプレピットが形成されているか否かを表す情報は、いかなる形態で表示されても良いが、一例として、次のように表示される。
【００４２】
００ｂ：最終化のための領域にプレピットが形成されていない。
【００４３】
０１ｂ：最終化のための領域にプレピットが形成されている。
【００４４】
もちろん、最終化のための領域にプレピットが形成されているか否かを表す情報は、制御データ領域１３以外の他の領域に記録されることもある。
【００４５】
再記録可能領域１２は、バッファ１４と、次の使用のための予約領域１５と、媒体のテストのためのテスト領域１６と、ドライブまたはディスク状態関連情報を含む情報領域１７と、を備える。
【００４６】
図９は、本発明によって媒体の最終化のための領域にプレピットが形成されたことを表す情報を読み取って利用する記録／再生装置の概略図を示す。図９を参照するに、本発明による記録／再生装置９０は、記録及び／または再生が可能な装置であって、記録／読み取り部９１及び制御部９２を備える。便宜上、記録／再生装置は、全体的にまたは部分的に、ホストに連結された別途のボックスにハウジングされた外部的ドライブシステムまたはホスト内にハウジングされた内部的ドライブシステムと言及される。
【００４７】
記録／読み取り部９１は、制御部９２の制御によって、本発明による情報記録媒体１００に／からデータを記録／再生する。制御部９２は、ホストの命令によって情報記録媒体１００に／からデータを記録／読み取りするように記録／読み取り部９１を制御するか、または記録／読み取り部９１によって読み取られたデータを処理して有効なデータを得る。ホストは、記録／再生装置９０の外部に配列されることもあり、記録／再生装置９０の内部に配列されるように具現されることもある。
【００４８】
特に、本発明によって、制御部９２は、情報記録媒体１００を最終化しようとするとき、媒体１００の制御データ領域１３にある“最終化のための領域にプレピットが形成されているか否かを表す情報”を読み取るように記録／読み取り部９１を制御する。記録／読み取り部９１が制御部９２の制御によって媒体１００の制御データ領域１３から“最終化のための領域にプレピットが形成されているか否かを表す情報”を読み取って制御部９２に提供すれば、制御部９２は、前記提供された情報から媒体の最終化のための領域にプレピットが形成されたか否かを判断する。
【００４９】
判断結果、媒体の最終化のための領域にプレピットが形成されている場合には、媒体の最終化時に、このような媒体の最終化のための領域に再びデータを記録するように記録／読み取り部９１を無用に制御することを防止しうる。
【００５０】
判断結果、媒体の最終化のための領域にプレピットが形成されていない場合には、もちろん媒体の最終化時に、このような媒体の最終化のための領域にデータを記録するように記録／読み取り部９１を制御する。
【００５１】
以上、本発明についてその望ましい実施例を中心に説明した。当業者は、本発明が本発明の本質的な特性から逸脱しない範囲で変形された形態で具現されるということが理解できるであろう。したがって、開示された実施例は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。例えば、情報記録媒体は、データ保存容量を増加させるためにマルチ記録層で構成される。また、最終化領域に既形成のプレピットは、プレピットから強い再生信号を保証するために必要ないかなる深さにもなり、情報記録媒体のいかなる位置にも配列されうる。
【図面の簡単な説明】
【００５２】
【図１Ａ】波長６５０ｎｍ、ＮＡ  ０.６０、最小マーク長０.４２μｍでピットの深さによる再生信号の特性を示すグラフである。
【図１Ｂ】波長６５０ｎｍ、ＮＡ  ０.６０、最小マーク長０.４２μｍでピットの深さによる再生信号の特性を示すグラフである。
【図１Ｃ】波長６５０ｎｍ、ＮＡ  ０.６０、最小マーク長０.４２μｍでピットの深さによる再生信号の特性を示すグラフである。
【図１Ｄ】波長６５０ｎｍ、ＮＡ  ０.６０、最小マーク長０.４２μｍでピットの深さによる再生信号の特性を示すグラフである。
【図２】図１Ｃに示されたピットの深さλ／４の結果を基準に正規化した結果を示すグラフである。
【図３】本発明によって情報記録媒体の最終化のための領域がプレピット形態で形成された情報記録媒体を示す図である。
【図４】図３に示された本発明の一例であって、グルーブの底面と最終化のための領域のプレピットの底面とが同じ面上に位置し、グルーブの深さとプレピットの深さとは、異なる形態の例を示す図である。
【図５】図３に示された本発明の他の例であって、グルーブの底面と最終化のための領域のプレピットの底面とが異なる面上に位置し、グルーブの深さとプレピットの深さとは、異なる形態の例を示す図である。
【図６】本発明によって媒体の最終化のためのミドル領域にプレピットが形成された二重層情報記録媒体の構造の一例を示す図である。
【図７】本発明によって媒体の最終化のためのミドル領域にプレピットが形成された二重層情報記録媒体の構造の他の例を示す図である。
【図８】本発明によって媒体の最終化のための領域にプレピットが形成されたことを表す情報を記録するための領域の例を示す図である。
【図９】本発明によって媒体の最終化のための領域にプレピットが形成されたことを表す情報を読み取って利用する記録／再生装置の概略図である。
【図１Ａ】
2009514134.tif 000003
【図１Ｂ】
2009514134.tif 000004
【図１Ｃ】
2009514134.tif 000005
【図１Ｄ】
2009514134.tif 000006
【図２】
2009514134.tif 000007
【図３】
2009514134.tif 000008
【図４】
2009514134.tif 000009
【図５】
2009514134.tif 000010
【図６】
2009514134.tif 000011
【図７】
2009514134.tif 000012
【図８】
2009514134.tif 000013
【図９】
2009514134.tif 000014
【国際調査報告】
2009514134.tif 000015
2009514134.tif 000016